(57)【要約】【課題】 プリザーブドフラワーの花弁を自然な形で開花加工すると共に、花弁開度の増大を得るための加工作業を、別部材を使用せず、また熟練を要することなく短時間で行うことができ、且つ、花弁開度の固定保持を経年変化しないようにする。【解決手段】  加工前のプリザーブドフラワー４の下側の花床部６を取り除く工程と、取り除いた部分にできた空隙７に対し溶融した接着剤１２を注入する工程と、複数本のワイヤー３を予め貫通孔２に通して取り付けた状態の台座部材１に対し、接着剤１２を注入したプリザーブドフラワー４の花弁底部側を押し当て、接着剤１２が硬化し花弁５の底部同士及び花弁５の底部と台座部材１が固定保持するまでの間に花弁５の開度を増大調整する工程と、を含む方法によりプリザーブドフラワーを開花加工する。【選択図】  図２
2010222730.tif 000002
【特許請求の範囲】
【請求項１】
生花に特殊な保存防腐処理を施した加工前のプリザーブドフラワーと、複数本のワイヤーと、中心部が窪むと共に中心部付近に前記複数本のワイヤーを通すための３個以上の貫通孔を形成した円形状の台座部材と、を備え、
前記加工前のプリザーブドフラワーの下側の花床部を取り除く工程と、取り除いた部分にできた空隙に対し溶融した接着剤を注入する工程と、前記複数本のワイヤーを予め前記台座部材の貫通孔に貫通して取り付けた状態の台座部材に対し、前記接着剤を注入したプリザーブドフラワーの花弁底部側を押し当て、前記接着剤が硬化し花弁底部同士及び花弁底部と前記台座部材が固定保持するまでの間に花弁の開度を増大調整する工程と、を含むことを特徴とするプリザーブドフラワーの開花加工方法。
【請求項２】
前記台座部材は、前記花弁と同色系に着色したものまたは半透明であることを特徴とする請求項１記載のプリザーブドフラワーの開花加工方法。
【請求項３】
請求項１又は２記載の加工方法により得られたプリザーブドフラワー。 
【発明の詳細な説明】
【技術分野】
【０００１】
本発明は、保存防腐処理（プリザーブド処理）が施されたプリザーブドフラワーの開花加工方法およびプリザーブドフラワーに関する。
【背景技術】
【０００２】
プリザーブドフラワーと称される花は、生花にポロエチレングリーコールなどの薬品を吸収させ、保存防腐処理を施すと共に染色・乾燥をして作られている加工（プリザーブド処理と称される）花である。従来、製造業者より流通されているプリザーブドフラワーは、茎部が極めて短く、且つ、花弁が開ききらない段階で加工処理されるため、花弁の開度が小さく本来の装飾効果に欠けていた。
【０００３】
また、花としての茎部の長さが必要な場合には、子房部や茎部へワイヤーを貫通させ下方へ折り曲げることで、茎部としての長さを得てアレンジメントや花束などに用いられてきた。しかし、ワイヤーを貫通させる作業は、茎部の形状や硬さにより、貫通に時間を要すると共に、作業の慣れもかなり必要であった。
【０００４】
これまでに、プリザーブドフラワーの花弁開度を増大させることを解決するものとして特許文献１，２に開示されたものがある。
【０００５】
特許文献１には、全ての花弁を花床からいったん取り外した後、花弁の開度を増大させる方向に向けながら再び花床に取り付けるものが開示されている。また、特許文献２には、花弁間にクッション部材を挿入する事で、花弁開度を増大させるものが開示されている。
【先行技術文献】
【特許文献】
【０００６】
【特許文献１】特開２００３−２６８６１７号公報
【特許文献２】実用新案登録第３１０８８３１号公報
【発明の概要】
【発明が解決しようとする課題】
【０００７】
特許文献１に開示された加工花材にあっては、花弁を花床から１枚ずつ取り外し、さらに開度調整用の切込みを花弁に形成し、再び接着剤を塗り、開度を調整しながら花床に取り付けるというものであることから、作業が煩雑であるため時間がかかる共に熟練度を要するものであり、さらに花弁を損傷させてしまう可能性もあった。
【０００８】
特許文献２に開示された加工花材にあっては、クッション部材が経年経過と共に弾力性が落ち、希望の開度を固定保持出来ないことがあった。また、別途クッション部材が必要になると共に、見る角度によってはクッション部材が見えてしまうため見栄えが良くないということがあった。
【０００９】
本発明は、プリザーブドフラワーの花弁を自然な形で開花加工すると共に、花弁開度の増大を得るための加工作業を、別部材を使用せず、また熟練を要することなく短時間で行うことができ、且つ、花弁開度の固定保持が経年変化しないようにできるプリザーブドフラワーの開花加工方法およびプリザーブドフラワーを提供することを目的とする。
【課題を解決するための手段】
【００１０】
上記目的を達成するため、本発明のプリザーブドフラワーの開花加工方法にあっては、生花に特殊な保存防腐処理を施した加工前のプリザーブドフラワーと、複数本のワイヤーと、中心部が窪むと共に中心部付近に複数本のワイヤーを通すための３個以上の貫通孔を形成した円形状の台座部材と、を備え、加工前のプリザーブドフラワーの下側の花床部を取り除く工程と、取り除いた部分にできた空隙に対し溶融した接着剤を注入する工程と、複数本のワイヤーを予め台座部材の貫通孔に通して取り付けた状態の台座部材に対し、接着剤を注入したプリザーブドフラワーの花弁底部側を押し当て、接着剤が硬化し花弁底部同士及び花弁底部と台座部材が固定保持するまでの間に花弁の開度を増大調整する工程と、を含むことを特徴とする。
【００１１】
また、本発明の台座部材は、花弁と同色系に着色したものまたは半透明であることを特徴とする。
【００１２】
また、本発明のプリザーブドフラワーは、本発明に係る開花加工方法により得られるものである。 
【発明の効果】
【００１３】
以上、説明したように、本発明の開花加工方法によれば、プリザーブドフラワーの花床部を取り除く事により、開度調整が容易になり、花弁開花の自由度が増すことで、生花の咲き具合同様に自然な開花状態を形成でき、装飾効果が向上する。また、本発明の台座部材の使用により、花弁の開度を調整しながらの作業が熟練を要することなく短時間で行うことができると共に、台座部材が、塗布した接着剤を覆うカバーになるため完成状態の見栄えが良い。また経年変化するようなクッション部材を使う必要もない。
【００１４】
また、台座部材の貫通孔に予め茎部を構成するワイヤーを通しておく事で、プリザーブドフラワーと台座部材の接着硬化と同時に開花加工されたプリザーブドフラワーに茎部が取り付いた状態にできる。したがって、茎部を構成するワイヤーの取り付けも含め、短時間で開花と茎部の成形を一度に行う事が可能になる。
【図面の簡単な説明】
【００１５】
【図１】本発明に係る台座部材の説明図。
【図２】プリザーブドフラワーの開花加工作業の説明図。
【発明を実施するための形態】
【００１６】
製造業者により花弁が開ききらない段階で保存防腐処理（プリザーブド処理）が施され、花弁開度が小さい状態で流通されるプリザーブドフラワーに対し、花床部を取り除き、取り除いた事で生じた空隙に溶融した接着剤を注入し、茎部を構成する複数本のワイヤーを予め貫通孔に通して取り付けた状態の台座部材に対し、接着剤を注入したプリザーブドフラワーの花弁底部側を押し当て、接着剤が硬化し花弁底部同士及び花弁底部と台座部材が固定保持するまでの間に、花弁の開度を増大調整するようにしたことで、花弁の開度調整と花弁の固定を短時間で行うことができると共に装飾効果も向上できる。また、台座部材に対し、花弁の接着前に予め中央部付近に配した貫通孔に複数本のワイヤーを通して取り付けておく事で、茎部を構成するワイヤーを、花弁の台座部材への接着固定と同時に取り付いた状態にすることができる。
【実施例】
【００１７】
以下、発明の実施例を図１〜図２を参照して詳細に説明する。
【００１８】
図１は、台座部材1の説明図である。図１（Ａ）は正面図、（Ｂ）はＡ−Ａ断面図、（Ｃ）は斜視図である。台座部材１は、プリザーブドフラワーの花弁と同色系に着色したもの、または半透明のものが使用される。同色系に着色したもの、または半透明であるものを使用することで、花弁との接着が目立たず自然な開花状態を形成できる。また、形状は薄型で且つ略円形状であり、材料は樹脂製である。但し、半透明にすることがないのであれば、樹脂製の他、木製、金属製、紙製のものも用いることができる。また、プリザーブドフラワーの花弁底部の直径よりも若干大きな直径に形成される。さらに、台座部材１は、図１（Ｂ）に示すように、中央部に向かって窪みが形成されていると共に、中心部付近には、直径１ｍｍ〜２ｍｍ程度の４個の貫通孔２が、５ｍｍ〜１０ｍｍの等間隔で形成されている。この略円形状の窪みは、花弁底部の丸みに適合するように形成されているため、後述するプリザーブドフラワーの花弁底部側を台座部材１に押し当てて開度を増大調整する加工作業において、押し当てる作業の際に花床部が取り除かれた花弁底部がこの窪みに沿ってスムーズに入り込むため加工作業が容易にできると共に、花弁底部と台座部材の接着面が広くなるためしっかりと接着固定できる。
【００１９】
貫通孔２には、図１（Ｃ）に示すように、茎部を構成するための折り曲げたワイヤー３（＃２６〜＃１８程度）を２本貫通することになる。具体的には、１本のワイヤーを中央で折り曲げて、その２つの先端を上方から２つの貫通孔２に貫通して下方に延ばし、折り曲げ箇所が台座部材１上部の窪んでいるところに接するまで貫通し取り付ける。もう1本のワイヤー３も、同様な作業で交差する２つの貫通孔２に貫通し取り付けることになる。図１（Ｃ）に示すように、茎部を構成するための２本のワイヤー３を予め台座部材１に貫通し取り付けておくことで、プリザーブドフラワーの花弁を台座部材１に接着固定する際の支えにすることができると共に、接着固定後には、茎部として花の長さを得ることができる。ワイヤー３は必要な長さで折り曲げ、貫通孔へ貫通し接着固定されるが、接着固定後であっても、ワイヤー３は切断が簡易のため、完成後であっても長さ調整は可能である。
【００２０】
なお、台座部材１の貫通孔２は、３個以上が均等に配置されていれば良いものであり、また、ワイヤー３は、２本以上あれば良いものである。また、ワイヤー３の長さを適宜調整することで、花としての茎の長さを調整できるものである。また、固定用スポンジなどへワイヤー３を挿してアレンジメントを作る場合には、下方に伸びたワイヤー３間を数ｍｍ〜数ｃｍ広げて固定用スポンジへ差し込むことになるが、複数本のワイヤー３で支持するため、花の挿し込みが安定する状態にできる。
【００２１】
次に、プリザーブドフラワーの開花加工作業の手順を、図２（Ａ）〜（Ｅ）を参照しながら説明する。
【００２２】
図２（Ａ）に示すのは、複数枚の花弁５と、花弁５の外側に位置する萼８と、花弁５をその下側で支持する花床部６とを有する生花に、ポロエチレングリーコールなどの特殊な薬品を吸収させ、保存防腐処理を施すと共に染色・乾燥をして作られている加工（プリザーブド処理と称される）花のプリザーブドフラワー４である。図に示すように、開花加工前の状態のため花弁が十分に開いていない。
【００２３】
先ず、最初の工程では、十分な開花を得ていない加工前のプリザーブドフラワー４の下側の花床部６を指でもぎ取るようにして取り除き、上部の花弁５を残すようにする。尚、花床部６を取り除く事で一緒に萼８も取り除かれる事になる。プリザーブドフラワーの花床部６を花弁５から取り除いた状態の断面図である図２（Ｂ）に示すように、花床部６が取り除かれたあとには空隙７ができ、花弁底部が集中している事が確認できる。花床部６を取り外した花弁５は、開花する方向に開こうとする。なお、花床部６を取り除く方法には、ハサミやカッターで切り離す事も考えられるが、ハサミやカッターの刃により花弁に圧が加わり花弁が損傷したり、水平に切った場合は花床部と共に花弁底部も一緒に切ってしまうことになるため、使用できる花弁の高さを減らしたりする事になるため、望ましくない。
【００２４】
次の工程では、花床部６が取り除かれたプリザーブドフラワー４を上下転換し、花床部６を取り除いた空隙７に対して、図２（Ｃ）に示すように、電熱式加熱装置１１を使い、溶融した樹脂接着剤１２を花弁５の底部に注入し、花弁５が離散しないよう保持させる。接着剤１２としては、数十秒間で硬化するものを使用する。
【００２５】
次の工程では、前工程で接着剤１２を注入したプリザーブドフラワー４を再度上下転換し、この状態で図２（Ｄ）に示すように、予め茎部を構成する２本のワイヤー３を台座部材１の貫通孔２に貫通して取り付けた状態の台座部材１に対し、プリザーブドフラワーの花弁５の底部側を押し当て接着させる。プリザーブドフラワー４を台座部材１に接着させる状態では、前工程で空隙７に注入した接着剤１２は、花弁５の底部に行き渡り、さらに下方の台座部材１側に流れ出るためプリザーブドフラワーの花弁５の底部と台座部材１との接着にも使用できる。台座部材１の上面は略円形状に窪んでいることから、花弁５の底部側を押し当てる際に、この窪みに沿ってスムーズに入り込むため加工作業が容易にでき、また花弁５の底部と台座部材１の接着面が広くなるためしっかりと接着固定できる。また、接着剤１２が花弁５側から流れてきてもこぼれ難くなっている。なお、この窪みに接着剤１２を別途塗布する事での接着も可能である。
【００２６】
この工程において、プリザーブドフラワー４の花弁５の底部側を台座部材１に押し当て接着させるが、接着剤１２は硬化するまでに数十秒間必要であることから、この接着状態で、接着剤１２の硬化までの間に、図２（Ｅ）に示すように指により花弁５の開度の増大調整を行うことができる。花弁５は花床部６を外されて開花しようとする方向に開こうとするので、より自然な開花状態を得ることができる。接着剤１２の硬化後には開度が増大した花弁５が台座部材１によりしっかりと保持固定される。接着部分は、台座部材１で覆われるため、見栄えの良い状態を得ることができる。また、台座部材１は、プリザーブドフラワーの花弁と同色系に着色したもの、または半透明のものを使用することから、花弁５との接着は目立たず、完成したプリザーブドフラワー４には殆ど違和感はなく自然な開花状態のプリザーブドフラワーを形成できる。
【００２７】
また、台座部材１に対し、花弁５との接着前に予め中央部付近に配した貫通孔２にワイヤー３を貫通して取り付けておく事で、茎部を構成するワイヤー３を、花弁５の台座部材１への接着固定と同時に取り付いた状態にすることができる。また、ワイヤー３の折り曲げ箇所が台座部材１上部の窪んでいるところに接して取り付けてあることから、接着剤１２の硬化により、ワイヤー３も台座部材１に保持固定される。
【符号の説明】
【００２８】
１  台座部材本体
２  貫通孔
３  ワイヤー
４  プリザーブドフラワー
５  花弁
６  花床部
７  空隙
８  萼
１１  電熱式加熱装置
１２  接着剤
【図１】
2010222730.tif 000003
【図２】
2010222730.tif 000004